(57)【要約】      （修正有）【課題】カードの装着状態を確実に維持するカード用コネクタを提供する。【解決手段】コネクタは、カード１が挿抜される凹部２１を形成するハウジング２と凹部２１を覆うカバー３を備える。スライド部材４は、カード１の挿抜方向と平行する方向に進退するように凹部２１の片翼に配置され、ハート型のカム溝４１を形成する。板ばね５は、スライド部材４に固定された突出片５１と突出片５１の基端部に向かって反転する反転片５２を有する。圧縮コイルばね６ａは、スライド部材４をカード１が排出される方向に付勢する。案内棒６ｂは、一端がハート型のカム溝４１に連結し、他端がハウジング２に回動自在に支持される。スライド部材４は、カード１の側面に形成された斜辺１ａに当接する係合辺４２を有し、板ばね５は、溝部１ｂにカード１の側面側から出入りする第１屈曲部と、凹部２１の側壁に近接する第２屈曲部を有する。【選択図】図２
2010049889.tif 000002
【特許請求の範囲】
【請求項１】
カードが挿抜される凹部を形成する板状のハウジングと、このハウジングの凹部を覆う平坦面を有するカバーと、を備えるカード用コネクタであって、
前記カードの挿抜方向と平行する方向に進退するように前記凹部の片翼に配置され、ハート型のカム溝が形成されたスライド部材と、
基端部が前記スライド部材に固定され、先端部が前記凹部の開口に向かって突出する突出片、及びこの突出片の先端部が屈曲されて当該突出片の基端部に向かって反転する反転片を有するＪ字状の板ばねと、
前記ハウジングに保持され、前記スライド部材を前記カードが排出される方向に力を付勢する圧縮コイルばねと、
一端が前記ハート型のカム溝に連結し、他端が前記ハウジングに回動自在に支持される案内棒と、を備え、
前記スライド部材は、前記凹部の片翼側から当該凹部の開口に突出して前記カードの側面途上に形成された斜辺に当接する係合辺を有し、
前記突出片は、前記カードの斜辺に隣接される略方形の溝部に当該カードの側面側から出入りし、当該溝部に弾性をもって係止する第１屈曲部を先端部に有し、
前記反転片は、前記第１屈曲部と相反する向きに形成されると共に、前記凹部の一方の側壁に近接して移動する第２屈曲部を先端部に有し、
前記第２屈曲部は、前記カードの溝部が前記第１屈曲部を乗り越えて、当該第１屈曲部を変位させる力が作用したときに、前記凹部の一方の側壁に当接して当該第１屈曲部が前記カードの溝部に向かう力を付勢するカード用コネクタ。
【請求項２】
前記凹部の一方の側壁は、前記凹部の他方の側壁に向かって隆起する突起を当該凹部の開口の近傍に有する請求項１記載のカード用コネクタ。
【請求項３】
前記スライド部材が前記凹部の開口に向かって進出して停止した状態では、前記第２屈曲部が前記凹部の一方の側壁から解放されている請求項１又は２記載のカード用コネクタ。
【発明の詳細な説明】
【技術分野】
【０００１】
本発明は、カード用コネクタに関する。特に、本発明は、超小型メモリカードであるｍｉｃｒｏＳＤ（Ｓｅｃｕｒｅ  Ｄｉｇｉｔａｌ）カードなどのメモリカードが挿入されることによって、当該メモリカードと電気的に接続するカード用コネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器の記録メディアとして普及している。
【０００３】
フレキシブルディスク（ＦＤ）や光磁気ディスク（ＭＯ）などのディスク型の記憶装置に比較して、このメモリカードは記憶容量が小さく、又、高価であるとされてきた。しかし、近年の技術進歩やメモリカードを使用する機器の普及に伴う量産効果により、記憶容量も大きくなり、低価格となってきている。
【０００４】
更に、メモリカードは、データの読み書きにＦＤやＭＯなどのように駆動装置を必要としないというメリットがあるため、消費電力や携帯性が重要視されるデジタルカメラやノート型パソコン、携帯音楽プレーヤーには好適である。
【０００５】
このようなメモリカード用のコネクタとして、メモリカードの挿入性を向上させた、プッシュ・プッシュ型のイジェクト機構付きカード用コネクタが開示されている（例えば、特許文献１参照）。
【０００６】
特許文献１によるカード用コネクタは、カードを収容するハウジングと、ハウジングにカードが収容されたときにカードと接触する複数のコンタクトと、を備えている。又、特許文献１によるカード用コネクタは、ハウジング内をカードの挿抜方向に沿ってスライド可能に設けられたカード載置用のイジェクト部材と、イジェクト部材をカードの抜出方向に向かって付勢する圧縮コイルばねと、を備えている。
【０００７】
更に、特許文献１によるカード用コネクタは、イジェクト部材が圧縮コイルばねによってカードの抜出方向に付勢されたときに、イジェクト部材の抜出側部をカードの抜出側に向かって下方に傾ける傾斜手段を有している。
【０００８】
特許文献１によるカード用コネクタは、カード挿入側において、イジェクト部材が常時上方に持ち上げられ、カードの挿入側に向かって下方に傾いているので、コネクタの挿入口は広くなり、カードの挿入性が向上する、としている。
【特許文献１】特開２００７−４８６０６号公報
【発明の開示】
【発明が解決しようとする課題】
【０００９】
しかし、特許文献１によるカード用コネクタは、カードの表面をハウジングに向けて付勢する一対の板ばねがハウジングを覆う金属製のカバーに設けられている。したがって、カードをコネクタに着脱する度に、一対の板ばねの先端部がカードの表面を摺動して、カードの表面に印刷された記号や文字を傷つけるという懸念がある。
【００１０】
ハウジングを覆うカバーにカードを付勢する板ばねを設けることなく、カードの不用意な飛び出しを防止でき、かつ、カードの装着状態を確実に維持するカード用コネクタが実現できれば、カードの表面を傷つけることを防止できる。そして、以上のことが本発明の課題といってよい。
【００１１】
本発明は、このような問題に鑑みてなされたものであり、カードの表面を傷つけることを防止でき、かつ、カードの装着状態を確実に維持するカード用コネクタを提供することを目的とする。
【課題を解決するための手段】
【００１２】
本発明者らは、カードと共に移動するスライド部材にＪ字状の板ばねを配置し、カードがハウジンジから容易に離脱しないように、このＪ字状の板ばねを構成することにより、前記課題が解決可能なことを見出し、これに基づいて、以下のような新たなカード用コネクタを発明するに至った。
【００１３】
（１）  カードが挿抜される凹部を形成する板状のハウジングと、このハウジングの凹部を覆う平坦面を有するカバーと、を備えるカード用コネクタであって、前記カードの挿抜方向と平行する方向に進退するように前記凹部の片翼に配置され、ハート型のカム溝が形成されたスライド部材と、基端部が前記スライド部材に固定され、先端部が前記凹部の開口に向かって突出する突出片、及びこの突出片の先端部が屈曲されて当該突出片の基端部に向かって反転する反転片を有するＪ字状の板ばねと、前記ハウジングに保持され、前記スライド部材を前記カードが排出される方向に力を付勢する圧縮コイルばねと、一端が前記ハート型のカム溝に連結し、他端が前記ハウジングに回動自在に支持される案内棒と、を備え、前記スライド部材は、前記凹部の片翼側から当該凹部の開口に突出して前記カードの側面途上に形成された斜辺に当接する係合辺を有し、前記突出片は、前記カードの斜辺に隣接される略方形の溝部に当該カードの側面側から出入りし、当該溝部に弾性をもって係止する第１屈曲部を先端部に有し、前記反転片は、前記第１屈曲部と相反する向きに形成されると共に、前記凹部の一方の側壁に近接して移動する第２屈曲部を先端部に有し、前記第２屈曲部は、前記カードの溝部が前記第１屈曲部を乗り越えて、当該第１屈曲部を変位させる力が作用したときに、前記凹部の一方の側壁に当接して当該第１屈曲部が前記カードの溝部に向かう力を付勢するカード用コネクタ。
【００１４】
（１）の発明によるカード用コネクタは、板状のハウジングとカバーを備えている。ハウジングは、カードが挿抜される凹部を形成している。カバーは、ハウジングの凹部を覆う平坦面を有している。又、（１）の発明によるカード用コネクタは、スライド部材、Ｊ字状の板ばね、圧縮コイルばね、及び案内棒を備えている。
【００１５】
スライド部材は、カードの挿抜方向と平行する方向に進退するように、凹部の片翼に配置される。又、スライド部材は、ハート型のカム溝が形成されている。
【００１６】
板ばねは、突出片と反転片を有している。突出片の基端部は、スライド部材に固定されている。突出片の先端部は、凹部の開口に向かって突出している。反転片は、突出片の先端部が屈曲されて、突出片の基端部に向かって反転している。
【００１７】
圧縮コイルばねは、ハウジングに保持され、スライド部材をカードが排出される方向に力を付勢している。案内棒は、一端がハート型のカム溝に連結し、他端がハウジングに回動自在に支持されている。スライド部材は、凹部の片翼側から凹部の開口に突出し、カードの側面途上に形成された斜辺に当接する係合辺を有している。
【００１８】
突出片は、第１屈曲部を先端部に有している。第１屈曲部は、カードの斜辺に隣接される略方形の溝部にカードの側面側から出入りし、溝部に弾性をもって係止する。一方、反転片は、第２屈曲部を先端部に有している。第２屈曲部は、第１屈曲部と相反する向きに形成されると共に、凹部の一方の側壁に近接して移動する。
【００１９】
そして、第２屈曲部は、カードの溝部が第１屈曲部を乗り越えて、第１屈曲部を変位させる力が作用したときに、凹部の一方の側壁に当接して第１屈曲部がカードの溝部に向かう力を付勢する。
【００２０】
ここで、ハウジングは絶縁性を有している。絶縁性のハウジングとは、非導電性の材料からなるハウジングのことであってよく、合成樹脂を成形して、所望の形状の絶縁性のハウジングを得ることができる。
【００２１】
そして、ハウジングの凹部に複数のコンタクトが並設配置されている。並設とは、近接して一列に揃え、並べて設けることを意味している。コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００２２】
一般に、カードは、絶縁性のプラスチック筐体の内部にＩＣチップが収納されている。このＩＣチップは、筐体の表面に貼り付けられた複数の金属箔に接続されている。そして、並設配置された複数の金属箔がカードの接続端子となっている。ここで、個別のコンタクトは、個別の金属箔端子と一対一に接続されてよく、機械的及び電気的に接続する。
【００２３】
コンタクトは、ばねの働きが片持ち梁であるカンチレバーコンタクトが好ましく用いられる。コンタクトは、弾性アームと固定アームで構成されてよく、弾性アームは、凹部の底面から突出して、カードに形成された接続端子に接触する接点を設けてよく、固定アームは、凹部に圧入して固定することができる。
【００２４】
コンタクトの固定アームは、凹部に一体にモールド成形して固定することもできる。リード部を固定アームの端部に形成してもよく、このリード部をプリント基板にはんだ接合することにより、このカード用コネクタを表面実装用コネクタとすることができる。
【００２５】
ハウジングは、対向する一対の側壁と、一対の側壁と直交してカードの先端縁が当接する停止壁を有している。又、ハウジングは、一方の側壁に沿ってスライドするスライド部材を備えている。そして、スライド部材の側壁、他方の側壁、及び停止壁で囲われた薄直方体状の空間を「カードが挿抜される凹部」と規定できる。又、カード保持部とすることもできる。
【００２６】
この凹部がカバーで覆われることにより、停止壁と対向してカードが挿入される長方形の開口が形成される。ここで、対向するスライド部材の側壁と他方の側壁の距離は、カードの幅よりも充分に広く、他方の側壁とスライド部材及び板ばねとがカードの両翼を規制して、カードの正しい姿勢（傾き）が維持され、カードの接続端子とコンタクトとを正しく位置合わせできる。
【００２７】
カバーは、金属薄板からなり、展開された金属薄板を成形加工することにより、所望の形状のカバーを得ることができる。カバーは、導電性の金属薄板からなることが好ましく、カバーの平担面がハウジングを覆うことによりシールド効果が得られる。このカバーの平坦面には、カードを付勢する板ばねを設けていないので、カードの表面を傷つけることを防止できる。
【００２８】
カバーは、両翼が直角に折り曲げ加工されてよく、これらの折り曲げ片に矩形穴を形成し、ハウジングの両側面に突出するランスに係止するようにしてもよい。又、プリント基板にはんだ接合されるリード部をカバーに設けてよく、プリント基板との接合強度を補強でき、カバーをプリント基板のグランドに接地することもできる。凹部と対向するカバーの平坦面には、案内棒をハート型のカム溝の底面に付勢する片持ち状のばね片を設けてもよい。
【００２９】
凹部の一方の片翼には、スライド部材が配置される。凹部の他方の片翼には、カードが装着位置に在ることを電気的に検出するカード検出スイッチを設けてもよい。例えば、カード検出スイッチは可動板と固定板で構成されてよく、カードが装着位置に在るときは、カードに押されて可動板が変位して可動板と固定板とが電気的に接続状態となる。カードを抜去すると、可動板は復帰して可動板と固定板は電気的に遮断状態となる。このようにカードの有無が検出される。
【００３０】
ハウジングの片翼には、スライド部材を移動可能に案内する溝を設けてよく、スライド部材は、この溝に規制されてカードの挿抜方向と平行する方向に進退できる。スライド部材は、進退する直線運動のみが許容される。
【００３１】
例えば、ハウジングの片翼には、圧縮コイルばねを収容する縦長の溝が形成される。一方、スライド部材には、圧縮コイルばねの一方のコイル端部が当接される片翼片が形成されている。片翼片は、スライド部材の長手方向と直交する方向にＬ字状に突出している。そして、圧縮コイルばねの両コイル端部が片翼片と停止壁との間に装架することにより、スライド部材をカードが排出される方向に力を付勢することができる。カードが挿入されない状態では、スライド部材は圧縮コイルばねに付勢されて、凹部の開口側に停止している。
【００３２】
案内棒の両端は、略直角に屈折されてよく、案内棒の一端がスライド部材の表面に穿設されたハート型のカム溝に連結する。一方、案内棒の他端は、ハウジングの停止壁に形成された穴に挿入され、回動自在に支持される。そして、案内棒の一端は、ハート型のカム溝に従動する。
【００３３】
ハート型のカム溝を有するスライド部材を動節となるカムとし、案内棒を従動節とすれば、スライド部材と案内棒とは、カムと従動節が相対変位するカム装置を構成していると言える。又、カム溝は、ハート型の軌跡を描く平面曲線のみならず、カム溝の底面が段差又は斜面となる連続軌跡を含む空間曲線となっている。スライド部材と案内棒は、いわゆる立体カム装置を構成できる。
【００３４】
更に、ハート型のカム溝は、始点からの行き行程の軌跡と始点に戻る帰り行程の軌跡とを描いている。ハート型のカム溝の軌跡は、案内棒の一端が部分的に逆行することはあっても、全行程において案内棒の一端が逆行しない不可逆の連続軌跡を描いている。
【００３５】
実体として、ハート型のカム溝は、行き行程の軌跡と帰り行程の軌跡の分岐点に、Ｖ字状に陥没するＶ字溝が形成されている。案内棒の一端がこのＶ字溝に係止することにより、圧縮コイルばねに付勢されて、カードの装着位置でスライド部材をロックできる。ハート型のカム溝と案内棒で構成するカム装置は、スライド部材の停止位置を規定すると言うこともできる。
【００３６】
このコネクタにカードを挿入して、圧縮コイルばねに抗して押すと、案内棒の一端は、始点からＶ字溝が形成される分岐点に向かって相対的に進行する。そして、案内棒の一端がＶ字溝に係止して、カードをロックする。カードがロックされた状態からカードを押すと、案内棒の一端は、Ｖ字溝から解除されて始点に戻る。つまり、カードが排出される方向に移動する。このように、ハート型のカム溝を有するスライド部材と案内棒とは、いわゆる、プッシュ・プッシュ型のイジェクト機構を構成している。
【００３７】
板ばねは、帯板状の突出片が伸長して、その先端部が反転して突出片と略平行に延びる反転片を形成してよく、反転片が突出片より短いＪ字状に形成される。例えば、突出片の基端部をスライド部材に圧入により固定できる。板ばねの先端側が凹部の開口に向かって突出するように配置される。そして、板ばねとスライド部材とは、一体となって進退する。板ばねは、ばねの働きが片持ち梁であってよく、突出片の先端部に形成された第１屈曲部に荷重が作用することにより、弾性変形する。
【００３８】
例えば、カードは、略矩形に形成されており、接続端子が配置される先端側は、基端側より幅が狭くなっている。カードの先端側は、平行する両側面の内、一方の側面が鈍角に開角された斜辺を形成し、基端側に平行する両側面の内の一方の側面に連続している。すなわち、カードの先端側は、一方の隅部が片刃状に切り欠かれた形状となっている。そして、略方形の溝部がカードの斜辺に隣接されている。
【００３９】
カードをハウジングの凹部に挿入すると、斜辺が第１屈曲部に当接する。更に、カードを挿入すると、第１屈曲部は、カードの斜辺とスライドしつつ、この斜辺から離反する方向に弾性変形する。そして、この斜辺がスライド部材の係合辺に当接した状態では、第１屈曲部はカードの側面をスライドして、カードの溝部に突出する。なお、スライド部材の係合辺は、カードの斜辺と同じ勾配をもつ斜面が形成されてもよい。続いて、カードを押すと、スライド部材はハウジングの凹部の奥方向に移動する。
【００４０】
カードを押し切って、若干戻った状態で、案内棒の一端がＶ字溝に係止して、カードの装着位置で、スライド部材がハウジングにロックされる。カードの装着位置では、突出片の先端部にある第１屈曲部がカードの溝部に弾性をもって係止しているので、カードの装着状態を維持できる。
【００４１】
カードの装着状態において、カードの溝部が第１屈曲部を乗り越えて、第１屈曲部を変位させる力が作用したときに、第２屈曲部は、凹部の一方の側壁に当接して第１屈曲部がカードの溝部に向かう力を付勢するので、カードの装着状態を確実に維持できる。
【００４２】
カードの装着状態から、カードを一旦押すと、案内棒の一端はＶ字溝から解放されて、帰り行程に移動する。そして、圧縮コイルばねに付勢されて、スライド部材は、カードを凹部の開口側に移動させる。案内棒の一端がハート型のカム溝の始点に相対的に戻った時点で、スライド部材が停止する。ここで、カードには、慣性力が作用するが、第１屈曲部がカードの溝部に弾性をもって係止しているので、カードの不用意な飛び出しを防止できる。そして、カードを比較的強い力で引く抜くことによりカードをコネクタから離脱できる。
【００４３】
このように、（１）の発明によるカード用コネクタは、カードと共に移動するスライド部材にＪ字状の板ばねを配置し、このＪ字状の板ばねに設けられた第１屈曲部がカードに形成された方形の溝部に嵌合し、カードの溝部が第１屈曲部を乗り越えて、第１屈曲部を変位させる力が作用したときに、第２屈曲部は、凹部の一方の側壁に当接して第１屈曲部がカードの溝部に向かう力を付勢するので、カードの装着状態を確実に維持できる。
【００４４】
（１）の発明によるカード用コネクタは、ハウジングを覆うカバーにカードを付勢する板ばねを設けることなく、カードの不用意な飛び出しを防止でき、かつ、カードの装着状態を確実に維持するカード用コネクタが実現しているので、カードの表面を傷つけることを防止できる。
【００４５】
（２）  前記凹部の一方の側壁は、前記凹部の他方の側壁に向かって隆起する突起を当該凹部の開口の近傍に有する（１）記載のカード用コネクタ。
【００４６】
前述したように、カードの装着状態から、カードを一旦押すと、案内棒の一端はＶ字溝から解放されて、帰り行程に移動する。そして、圧縮コイルばねに付勢されて、スライド部材は、カードを凹部の開口側に移動させる。
【００４７】
スライド部材が凹部の開口側に移動する途上では、第２屈曲部が突起に衝突して、スライド部材の移動を一旦、阻止する。ここで、この突起は、圧縮コイルばねの貫性力を緩和し、カードの飛び出しを抑制すべく作用する。第２屈曲部が突起を乗り越える強い力でカードを引き抜くことにより、カードを取り出すことができる。
【００４８】
（３）  前記スライド部材が前記凹部の開口に向かって進出して停止した状態では、前記第２屈曲部が前記凹部の一方の側壁から解放されている（１）又は（２）記載のカード用コネクタ。
【００４９】
（３）の発明によるカード用コネクタは、スライド部材が凹部の開口に向かって進出して停止した状態では、第２屈曲部が凹部の一方の側壁から解放されているので、カードを容易に取り出すことができる。
【発明の効果】
【００５０】
本発明によるカード用コネクタは、カードと共に移動するスライド部材にＪ字状の板ばねを配置し、このＪ字状の板ばねに設けられた半第１屈曲部がカードに形成された方形の溝部に嵌合し、カードの溝部が第１屈曲部を乗り越えて、第１屈曲部を変位させる力が作用したときに、第２屈曲部は、凹部の一方の側壁に当接して第１屈曲部がカードの溝部に向かう力を付勢するので、カードの装着状態を確実に維持できる。
【００５１】
本発明によるカード用コネクタは、ハウジングを覆うカバーにカードを付勢する板ばねを設けることなく、カードの不用意な飛び出しを防止でき、かつ、カードの装着状態を確実に維持するカード用コネクタが実現しているので、カードの表面を傷つけることを防止できる。
【発明を実施するための最良の形態】
【００５２】
図１は、本発明によるカード用コネクタ（以下、コネクタと略称する）の一実施形態を示す斜視分解組立図である。図２は、前記実施形態によるコネクタの斜視分解組立図である。図３は、前記実施形態によるコネクタの斜視外観図であり、カバーを取り外した状態図である。図４は、前記実施形態によるコネクタの斜視外観図であり、カードが装着された状態図である。
【００５３】
図５は、前記実施形態によるコネクタの平面図である。図６は、前記実施形態によるコネクタの斜視外観図であり、図３と異なる方向からコネクタを観ている。図７は、前記実施形態によるコネクタのスライド部材の側面図である。図８は、前記実施形態によるコネクタの平面図であり、カードを取り出した状態図である。図９は、前記実施形態によるコネクタの平面図であり、カードを完全に装着した状態図である。
【００５４】
最初に、本発明の実施形態によるコネクタの構成を説明する。図１又は図２において、コネクタ１０は、板状のハウジング２とカバー３を備えている。ハウジング２は、カード１が挿抜される凹部２１を形成している。カバー３は、ハウジング２の凹部２１を覆っている。ハウジング２は、絶縁性の合成樹脂材で矩形状に成形されている。カバー３は、金属板で形成され、両翼がＬ字状に折り曲げられている。
【００５５】
又、図１又は図２において、コネクタ１０は、スライド部材４、Ｊ字状の板ばね５、圧縮コイルばね６ａ、及び案内棒６ｂを備えている。スライド部材４は、カード１の挿抜方向と平行する方向に進退するように、凹部２１の片翼に配置される。スライド部材４は、ハート型のカム溝４１が形成されている。
【００５６】
図１又は図２において、板ばね５は、突出片５１と反転片５２を有している。突出片５１の基端部は、スライド部材４に固定されている。突出片５１の先端部は、凹部２１の開口に向かって突出している。反転片５２は、突出片５１の先端部が屈曲されて、突出片５１の基端部に向かって反転している。
【００５７】
図１又は図２において、圧縮コイルばね６ａは、ハウジング２に保持され、スライド部材４をカード１が排出される方向に力を付勢している。案内棒６ｂは、一端６１ｂがハート型のカム溝４１に連結し、他端６２ｂがハウジング２に回動自在に支持されている。スライド部材４は、凹部２１の片翼側から凹部２１の開口に突出し、カード１の側面途上に形成された斜辺１ａに当接する係合辺４２を有している。
【００５８】
図５を参照すると、突出片５１は、第１屈曲部５１ａを先端部に有している。第１屈曲部５１ａは、カード１の斜辺１ａに隣接される略方形の溝部１ｂにカード１の側面側から出入りし、溝部１ｂに弾性をもって係止する。一方、反転片５２は、第２屈曲部５２ａを先端部に有している。第２屈曲部５２ａは、第１屈曲部５１ａと相反する向きに形成されると共に、凹部２１の一方の側壁２１ａに近接して移動する。
【００５９】
図１又は図２において、コネクタ１０は、ハウジング２にカバー３が取り付けられることにより、カード１が挿入される開口を形成し、薄直方体形状のカード保持部が形成される（図４参照）。そして、ハウジング２の凹部２１に８本のコンタクト７が並設配置されている。複数のコンタクト７は、カード１の表面に形成された複数の接続端子（図示せず）と一体一に電気的及び機械的に接触する。
【００６０】
図６において、コンタクト７は、ばねの働きが片持ち梁であるカンチレバーコンタクトであってよく、弾性アームと固定アームで構成される。弾性アームは、凹部２１の底面から突出して、カード１に形成された接続端子（図示せず）に接触する接点７１が設けられている（図１参照）。固定アームは、凹部２１に一体にモールド成形されて固定されている。又、リード部７２が固定アームの端部に形成され、リード部７２をプリント基板１ｐにはんだ接合することにより、コネクタ１０を表面実装用コネクタとすることができる（図４参照）。
【００６１】
図５において、ハウジング２は、対向する一対の側壁２１ａ・２１ｂと、一対の側壁２１ａ・２１ｂと直交してカード１の先端縁が当接する停止壁２１ｃを有している。又、ハウジング２は、側壁２１ａに沿ってスライドするスライド部材４を備えている。そして、スライド部材４の側壁４３、側壁２１ｂ、及び停止壁２１ｃで囲われた薄直方体状の空間を凹部２１とすることができる。
【００６２】
図３において、凹部２１がカバー３で覆われることにより、停止壁２１ｃと対向してカード１が挿入される長方形の開口が形成される。対向する側壁２１ｂとスライド部材４の側壁４３との距離は、カード１の幅よりも僅かに広く、他方の側壁２１ｂとスライド部材４及び板ばね５とがカード１の両翼を規制して、カード１の正しい姿勢が規制され、カード１の接続端子とコンタクト７とが正しく位置合わせできる。
【００６３】
図１又は図２において、カバー３は、両翼が直角に折り曲げ加工されている。これらの折り曲げ片には複数の矩形穴３ａが形成されている。複数の矩形穴３ａがハウジング２の両側面に突出するランス２ｒに係止することにより、カバー３が組み込まれる（図５参照）。又、カバー３には、プリント基板１ｐにはんだ接合されるリード部３ｒが設けられている（図４参照）。凹部２１と対向するカバー３の平坦面３０には、案内棒６ｂをハート型のカム溝４１の底面に付勢する片持ち状のばね片３１を設けている。
【００６４】
図５又は図６に示されるように、凹部２１の一方の片翼には、スライド部材４が配置される。凹部２１の他方の片翼には、カード１が装着位置に在ることを電気的に検出するカード検出スイッチ８を設けている。カード検出スイッチ８は、可動板８ａと固定板８ｂで構成されている。カード１が装着位置に在るときは（図４参照）、カード１の先端稜に押されて可動板８ａの先端部が変位して固定板８ｂが電気的に接続状態となる。カード１を抜去すると、可動板８ａは復帰して可動板８ａと固定板８ｂとは電気的に遮断状態となる。このようにカード１の有無が検出される。
【００６５】
図２又は図６において、ハウジング２の片翼には、スライド部材４を移動可能に案内する溝２２が設けられている。スライド部材４は、溝２２に規制されてカード１の挿抜方向と平行する方向に進退できる。スライド部材４は、進退する直線運動のみが許容される。
【００６６】
図２又は図６において、ハウジング２の片翼には、圧縮コイルばね６ａを収容する縦長の溝２２が形成される。一方、スライド部材４には、圧縮コイルばね６ａの一方のコイル端部が当接される片翼片が形成されている。この片翼片は、スライド部材４の長手方向と直交する方向にＬ字状に突出している。
【００６７】
図２又は図６において、スライド部材４の片翼片には、溝２２内に突出する円柱突起４ａが形成される。一方、ハウジング２の停止壁２１ｃには、円柱突起４ａに対向し、溝２２に連通する方形溝２ａが形成されている。そして、圧縮コイルばね６ａの両コイル端部を円柱突起４ａと方形溝２ａと間に装架することにより、スライド部材４をカード１が排出される方向に力を付勢することができる。カード１が挿入されない状態では、スライド部材４は圧縮コイルばね６ａに付勢されて、凹部２１の開口側に停止している。
【００６８】
図１又は図２において、案内棒６ｂの両端は、略直角に屈折されており、案内棒６ｂの一端６１ｂは、スライド部材４の表面に穿設されたハート型のカム溝４１に連結する。一方、案内棒６ｂの他端６２ｂは、ハウジング２の停止壁２１ｃに形成された穴２２ａに挿入され、回動自在に支持される。そして、案内棒６ｂの一端６１ｂは、ハート型のカム溝４１に従動できる。
【００６９】
図１又は図２において、スライド部材４と案内棒６ｂとは、カムと従動節が相対変位するカム装置を構成している。カム溝４１は、ハート型の軌跡を描く平面曲線のみならず（図５参照）、カム溝４１の底面が段差又は斜面となる連続軌跡を含む空間曲線となっている（図７参照）。ここで、スライド部材４と案内棒６ｂとは、立体カム装置を構成している。
【００７０】
図５において、ハート型のカム溝４１は、始点Ａ１からの行き行程の軌跡と、始点Ａ１に戻る帰り行程の軌跡とを描いている。ハート型のカム溝４１の軌跡は、案内棒６ｂの一端６１ｂが部分的に逆行することはあっても、全行程において案内棒６ｂの一端６１ｂが逆行しない不可逆の連続軌跡を描いている。そして、ハート型のカム溝４１は、行き行程の軌跡と帰り行程の軌跡の分岐点に、Ｖ字状に陥没するＶ字溝Ａ２が形成されている。
【００７１】
図５において、案内棒６ｂの一端６１ｂがＶ字溝Ａ２に係止することにより、圧縮コイルばね６ａに付勢されて、カード１の装着位置でスライド部材４をロックできる。ハート型のカム溝４１と案内棒６ｂで構成するカム装置は、スライド部材４の停止位置を規定している。
【００７２】
図５から７において、板ばね５は、帯板状の突出片５１が伸長して、突出片５１の先端部が反転して突出片５１と略平行に延びる反転片５２を形成している。図示された板ばね５は、反転片５２が突出片５１より短いＪ字状に形成されている。
【００７３】
図５から７において、突出片５１の基端部は、スライド部材４に圧入されて固定している。板ばね５の先端側が凹部２１の開口に向かって突出するように配置している。そして、板ばね５とスライド部材４とは、一体となって進退する。板ばね５は、ばねの働きが片持ち梁であってよく、突出片５１の先端部に形成された第１屈曲部５１ａに荷重が作用することにより、弾性変形する。
【００７４】
図１又は図５に示されるように、カード１は、略矩形に形成されており、接続端子（図示せず）が配置される先端側は、基端側より幅が狭くなっている。カード１の先端側は、平行する両側面の内、一方の側面が鈍角に開角された斜辺１ａを形成し、基端側に平行する両側面の内の一方の側面に連続している。カード１の先端側は、一方の隅部が片刃状に切り欠かれた形状となっている。又、略方形の溝部１ｂがカード１の斜辺１ａに隣接されている。
【００７５】
次に、本発明の実施形態によるコネクタの動作及び作用を説明する。
【００７６】
図１又は図５に示された状態から、カード１を凹部２１に挿入すると、カード１の斜辺１ａが第１屈曲部５１ａに当接する。更に、カード１を挿入すると、第１屈曲部５１ａは斜辺１ａとスライドしつつ、斜辺１ａから離反する方向に弾性変形する。そして、斜辺１ａが係合辺４２に当接した状態では（図３参照）、第１屈曲部５１ａはカード１の側面をスライドして、カード１の溝部１ｂに突出している。なお、スライド部材４の係合辺４２は、カード１の斜辺１ａと同じ勾配をもつ斜面が形成されている。続いて、カードを押すと、スライド部材４は、ハウジング２の凹部２１の奥方向に移動する（図３参照）。
【００７７】
図５において、カード１を押し切って、若干戻った状態で、案内棒６ｂの一端６１ｂがＶ字溝Ａ２に係止して、カード１の装着位置で、スライド部材４がハウジング２にロックされる（図９参照）。図９に示されるカード１の装着位置では、突出片５１の先端部にある第１屈曲部５１ａがカード１の溝部１ｂに弾性をもって係止しているので、カード１の装着状態を確実に維持できる（図９参照）。
【００７８】
図９に示された、カード１の装着状態において、カード１の溝部１ｂが第１屈曲部５１ａを乗り越えて、第１屈曲部５１ａを変位させる力が作用したときに、第２屈曲部５２ａは、凹部２１の側壁２１ａに当接して第１屈曲部５１ａがカード１の溝部１ｂに向かう力を付勢するので、カード１の装着状態を確実に維持できる。
【００７９】
図９に示される、カード１の装着状態から、カード１を一旦押すと、案内棒６ｂの一端６１ｂはＶ字溝Ａ２から解放されて、帰り行程に移動する（図５参照）。そして、圧縮コイルばね６ａに付勢されて、スライド部材４は、カード１を凹部２１の開口側に移動させる。案内棒６ｂの一端６１ｂがハート型のカム溝４１の始点Ａ１に相対的に戻った時点で、スライド部材４が停止する（図５参照）。ここで、カード１には、慣性力が作用するが、第１屈曲部５１ａがカード１の溝部１ｂに弾性をもって係止しているので、カード１の不用意な飛び出しを確実に防止できる。そして、カード１を比較的強い力で引く抜くことによりカード１をコネクタ１０から離脱できる。
【００８０】
このように、本発明の実施形態によるコネクタ１０は、カード１と共に移動するスライド部材４にＪ字状の板ばね５を配置し、Ｊ字状の板ばね５に設けられた第１屈曲部５１ａがカード１に形成された方形の溝部１ｂに嵌合し、カード１の溝部１ｂが第１屈曲部５１ａを乗り越えて、第１屈曲部５１ａを変位させる力が作用したときに、第２屈曲部５２ａは、凹部２１の一方の側壁２１ａに当接して第１屈曲部５１ａがカード１の溝部１ｂに向かう力を付勢するので、カード１の装着状態を確実に維持できる。
【００８１】
本発明の実施形態によるコネクタ１０は、ハウジング２を覆うカバー３にカード１を付勢する板ばねを設けることなく、カード１の不用意な飛び出しを防止でき、かつ、カード１の装着状態を確実に維持するカード用コネクタが実現しているので、カード１の表面を傷つけることを防止できる。
【００８２】
更に、本発明の実施形態によるコネクタ１０は、凹部２１の一方の側壁２１ａには、凹部２１の他方の側壁２１ｂに向かって隆起する突起２１１を凹部２１の開口の近傍に有している（図８又は図９参照）。
【００８３】
前述したように、カード１の装着状態から、カード１を一旦押すと、案内棒６ｂの一端６１ｂはＶ字溝Ａ２から解放されて、帰り行程に移動する（図５参照）。そして、圧縮コイルばね６ａに付勢されて、スライド部材４は、カード１を凹部２１の開口側に移動させる（図９参照）。
【００８４】
図９において、スライド部材４が凹部２１の開口側に移動する途上では、第２屈曲部５２ａが突起２１１に衝突して、スライド部材４の移動を一旦、阻止する。ここで、突起２１１は、圧縮コイルばね６ａの貫性力を緩和し、カードの飛び出しを抑制すべく作用する。第２屈曲部５２ａが突起２１１を乗り越える強い力でカード１を引き抜くことにより、カード１を取り出すことができる。
【００８５】
そして、図８に示されるように、スライド部材４が凹部２１の開口に向かって進出して停止した状態では、第２屈曲部５２ａが凹部２１の一方の側壁２１ａから解放されている。スライド部材４が凹部２１の開口に向かって進出して停止した状態では、第２屈曲部５２ａが凹部２１の一方の側壁２１ａから解放されているので、カード１を容易に取り出すことができる。
【図面の簡単な説明】
【００８６】
【図１】本発明によるカード用コネクタの一実施形態を示す斜視分解組立図である。
【図２】前記実施形態によるカード用コネクタの斜視分解組立図である。
【図３】前記実施形態によるカード用コネクタの斜視外観図であり、カバーを取り外した状態図である。
【図４】前記実施形態によるカード用コネクタの斜視外観図であり、カードが装着された状態図である。
【図５】前記実施形態によるカード用コネクタの平面図である。
【図６】前記実施形態によるカード用コネクタの斜視外観図であり、図３と異なる方向からカード用コネクタを観ている。
【図７】前記実施形態によるカード用コネクタのスライド部材の側面図である。
【図８】前記実施形態によるカード用コネクタの平面図であり、カードを取り出した状態図である。
【図９】前記実施形態によるカード用コネクタの平面図であり、カードを完全に装着した状態図である。
【符号の説明】
【００８７】
１  カード
１ａ  斜辺
１ｂ  溝部
２  ハウジング
３  カバー
４  スライド部材
５  板ばね
６ａ  圧縮コイルばね
６ｂ  案内棒
１０  コネクタ（カード用コネクタ）
２１  凹部
２１ａ  側壁（一方の側壁）
２１ｂ  側壁（他方の側壁）
３０  平坦面
４１  カム溝
４２  係合辺
５１  突出片
５１ａ  第１屈曲部
５２  反転片
５２ａ  第２屈曲部
【図１】
2010049889.tif 000003
【図２】
2010049889.tif 000004
【図３】
2010049889.tif 000005
【図４】
2010049889.tif 000006
【図５】
2010049889.tif 000007
【図６】
2010049889.tif 000008
【図７】
2010049889.tif 000009
【図８】
2010049889.tif 000010
【図９】
2010049889.tif 000011